【事件の表示】
　平成１０年特許願第　４１５６３号「建築材の塗装方法及びその装置」拒絶査定不服審判事件〔平成１１年　４月１３日出願公開、特開平１１−　９９３４８〕について、次のとおり審決する。
【結　論】
　本件審判の請求は、成り立たない。
【理　由】
［１］手続の経緯
　本件出願は、平成１０年２月２４日（優先権主張平成９年７月２８日）の出願であって、平成１０年３月１６日に手続補正書が提出され、平成１５年９月３０日付けで拒絶理由が通知され、同年１２月８日付けで意見書及び手続補正書が提出されたが、平成１６年８月１６日付けで拒絶査定がなされ、同年９月２４日に同拒絶査定に対する審判請求がなされると同時に手続補正書が提出されるとともに同年１０月２５日付けで手続補正書が提出されて明細書を補正する手続補正がなされたものである。
　
　
［２］平成１６年１０月２５日付けの手続補正についての補正却下の決定
　
〔補正却下の決定の結論〕
　平成１６年１０月２５日付けの手続補正を却下する。
　
〔理　由〕
１．本件補正の内容
　平成１６年１０月２５日付けの手続補正（以下、単に「本件補正」という。）は、本件補正により補正される前の（すなわち、平成１６年９月２４日付けで提出された手続補正書により補正された）下記（ロ）に示す特許請求の範囲を下記の（イ）に示す特許請求の範囲と補正するものを含んでいる。
　
（イ）補正後の特許請求の範囲（下線は、補正箇所を明示するためのもの）
　「【請求項１】　表面に目地のような凹溝を備えた建築材に対する凹溝部分への塗装方法であって、レーザー光のスキャン出力あるいはスリット光が照射された建築材を撮影して得た画像を処理することによる三次元形状測定によって建築材表面の凹溝の位置を非接触で計測し、該計測結果に基づき、塗装位置を制御可能な塗装手段で建築材の凹溝部分の塗装を行うとともに、上記凹溝部分の塗装にあたり、凹溝の幅よりも狭い幅で塗装を行い、次いで凹溝に塗装された塗料を
エアーで
　【請求項２】　塗料の吐出用のスプレーノズルの建築材に対する相対塗装速度と塗料の吐出圧力と塗装幅との関係を予め求めておき、該相関に基づいてこれらを制御することを特徴とする請求項１記載の建築材の塗装方法。
　【請求項３】　建築材の凹溝底部の高さを非接触で計測し、該計測結果に基づき、塗料の吐出用のスプレーノズルの建築材に対する高さを調節しつつ塗装を行うことを特徴とする請求項１または２記載の建築材の塗装方法。
　【請求項４】　表面に目地のような凹溝を備えた建築材に対する凹溝部分への塗装装置であって、レーザー光のスキャン出力あるいはスリット光が照射された建築材を撮影する画像入力装置を備えて得られた画像を処理することによる三次元形状測定によって建築材表面の凹溝の位置を非接触で計測する計測手段と、建築材を搬送するコンベアと、塗装位置を可変としている塗装手段と、上記計測手段で得られた計測結果に基づいて塗装手段に塗装を行わせる制御手段と
、凹溝に塗装された塗料に対してエアーを吐出して塗料を押し広げるエアー吐出手段と
　【請求項５】　塗料吐出用のスプレーノズルからの塗料の吐出幅を計測する検出手段を備えていることを特徴とする請求項４記載の建築材の塗装装置。
　【請求項６】　制御手段は、塗装待機時間を監視して該待機時間が所定時間を越える時、全スプレーノズルからの塗料吐出を所定位置において行わせるものであることを特徴とする請求項４または５記載の建築材の塗装装置。」
　
（ロ）補正前の特許請求の範囲
　「【請求項１】　表面に目地のような凹溝を備えた建築材に対する凹溝部分への塗装方法であって、レーザー光のスキャン出力あるいはスリット光が照射された建築材を撮影して得た画像を処理することによる三次元形状測定によって建築材表面の凹溝の位置を非接触で計測し、該計測結果に基づき、塗装位置を制御可能な塗装手段で建築材の凹溝部分の塗装を行うとともに、上記凹溝部分の塗装にあたり、凹溝の幅よりも狭い幅で塗装を行い、次いで凹溝に塗装された塗料を押し広げて凹溝全域に塗料をいきわたらせることを特徴とする建築材の塗装方法。
　【請求項２】　塗料の吐出用のスプレーノズルの建築材に対する相対塗装速度と塗料の吐出圧力と塗装幅との関係を予め求めておき、該相関に基づいてこれらを制御することを特徴とする請求項１記載の建築材の塗装方法。
　【請求項３】　建築材の凹溝底部の高さを非接触で計測し、該計測結果に基づき、塗料の吐出用のスプレーノズルの建築材に対する高さを調節しつつ塗装を行うことを特徴とする請求項１または２記載の建築材の塗装方法。
　【請求項４】　表面に目地のような凹溝を備えた建築材に対する凹溝部分への塗装装置であって、レーザー光のスキャン出力あるいはスリット光が照射された建築材を撮影する画像入力装置を備えて得られた画像を処理することによる三次元形状測定によって建築材表面の凹溝の位置を非接触で計測する計測手段と、建築材を搬送するコンベアと、塗装位置を可変としている塗装手段と、上記計測手段で得られた計測結果に基づいて塗装手段に塗装を行わせる制御手段とからなり、上記塗装手段は塗料吐出用のスプレーノズルが２軸方向の位置制御が自在なものであることを特徴とする建築材の塗装装置。
　【請求項５】　塗料吐出用のスプレーノズルからの塗料の吐出幅を計測する検出手段を備えていることを特徴とする請求項４記載の建築材の塗装装置。
　【請求項６】　制御手段は、塗装待機時間を監視して該待機時間が所定時間を越える時、全スプレーノズルからの塗料吐出を所定位置において行わせるものであることを特徴とする請求項４または５記載の建築材の塗装装置。」
　
２．本件補正の適否
（１）本件補正により補正される特許請求の範囲の請求項１
　請求項１に関する本件補正は、本件補正前の請求項１に記載された発明の発明を特定するために必要と認める事項としてさらに、「凹溝に塗装された塗料を押し広げて凹溝全域に塗料をいきわたらせる」手段を「
エアー
　そこで、次に、本件補正により補正された請求項１に係る発明（以下、単に「本願補正発明」という。）が、特許出願の際独立して特許を受けることができるものであるのかどうかについて検討する。
　
（２）原査定の拒絶の理由に引用された特開平５−１３８１１６号公報（以下、単に「引用文献」という。）
（Ａ）引用文献記載の事項
　引用文献には、次の事項が図面と共に記載されている。なお、下線は、当審で付与した。以下、同様。
　ａ）「
表面１Ａに縦横に目地２、３が形成された煉瓦様凹凸模様を有する壁板１表面に
目地２、３内のみを倣い装置４による倣い作動によって塗装していく
　ｂ）「【０００７】
【実施例】次に、この発明の実施例を説明する。図１はこの発明の方法を実施する装置の側面図、図２はこの発明の方法の対象となる壁板の要部斜視図、図３は塗装後の壁板の要部拡大断面図である。
【０００８】まず、平滑な無機質壁板表面に、その裏面を基準面としてルーターにより縦横に目地溝２、３を切削し、煉瓦様凹凸模様を有する壁板を成形し、この表面全面にフローコータにより凸部表面１Ｂの色彩塗料（暗茶色）Ｐ1 で溝を含む全体を塗装した。  この塗料を一旦乾燥させた後、
ＮＣ装置４のベッド４Ａに壁板１をセットし、先端にスプレーガン６を取り付けたＮＣ装置４の検出装置５により溝２、３を検出させ、隠蔽力に優れた塗料Ｐ2 によって溝２、３を溝底部の色彩（灰白色）に塗装した。
　ｃ）「【０００９】なお上記において、
スプレーガン６は溝の切削工程時に使用された基準面に沿って倣い装置５により移動する
　
（Ｂ）引用文献記載の発明
　したがって、引用文献には、次の発明（以下、単に「引用文献記載の発明」という。）が記載されているものと認められる。
　「表面に目地溝２、３を備えた壁板１に対する目地溝２、３への塗装方法であって、ＮＣ装置４の検出装置５により壁板１表面の目地溝２、３の位置を計測し、該計測結果に基づき、塗装位置を制御可能なスプレーガン６で壁板１の目地溝２、３の塗装を行う壁板１の塗装方法。」
　
（３）対比
　本願補正発明と引用文献記載の発明を対比すると、引用文献記載の発明における「目地溝２、３」、「壁板１」及び「スプレーガン６」が、本願補正発明における「目地のような凹溝」、「建築材」及び「塗装手段」にそれぞれ相当するものと認められる。
　したがって、本願補正発明と引用文献記載の発明は、
　「表面に目地のような凹溝を備えた建築材に対する凹溝部分への塗装方法であって、建築材表面の凹溝の位置を計測し、該計測結果に基づき、塗装位置を制御可能な塗装手段で建築材の凹溝部分の塗装を行う建築材の塗装方法。」
　である点で一致し、次の〔相違点１〕及び〔相違点２〕で相違している。
　〔相違点１〕
　建築材表面の凹溝の位置を計測するやり方として、本願補正発明においては、「レーザー光のスキャン出力あるいはスリット光が照射された建築材を撮影して得た画像を処理することによる三次元形状測定によって建築材表面の凹溝の位置を非接触で計測」するのに対して、引用文献記載の発明においては、「ＮＣ装置４の検出装置５により壁板１表面の目地溝２、３の位置を計測」する点。
　〔相違点２〕
　本願補正発明においては、「凹溝部分の塗装にあたり、凹溝の幅よりも狭い幅で塗装を行い、次いで凹溝に塗装された塗料を
エアーで
　
（４）判断
　上記〔相違点１〕及び〔相違点２〕について以下に検討する。
　〔相違点１〕について
　物体の三次元表面形状を測定するするやり方として、本願補正発明のように、「レーザー光のスキャン出力あるいはスリット光が照射された建築材を撮影して得た画像を処理することによる三次元形状測定によって」物体の表面形状を「非接触で計測」することは、周知の技術である（例えば、特開昭５９−１８２６８９号公報、実願平１−１４４４１７号（実開平３−８３８０５号）のマイクロフィルム、特開平５−１８７４６号公報参照）。
　そして、この周知の技術を引用文献記載の発明に適用することにより、上記〔相違点１〕に係わる本願補正発明のような構成を得る程度のことは、当業者が容易に想到することができたものである。
　〔相違点２〕について
　まず、「凹溝部分の塗装にあたり、凹溝の幅よりも狭い幅で塗装を行い、次いで凹溝に塗装された塗料を押し広げて凹溝全域に塗料をいきわたらせる」ことは、周知の技術である（例えば、原査定の拒絶の理由で例示した特開昭５２−４４２１０号公報及び特開昭５６−３３０６１号公報、さらに加えて、実願昭５８−３９１１６号（実開昭５９−１４６０７６号）のマイクロフィルム参照）。また、「塗装された塗料を押し広げ」る手段として、本願明細書の【００３８】〜【００３９】及び図１７〜１９にも記載されているように、「エアーカーテン」、「ロールコータ」や「スキージ」あるいは「エアースプレー」を適宜採用することは広く行われていることである。なお、「エアー」で「塗装された塗料を押し広げ」ることに関して、必要であれば、例えば、上述した実願昭５８−３９１１６号（実開昭５９−１４６０７６号）のマイクロフィルム、さらに加えて、特開昭５３−９０３４５号公報、特開平８−１７３８８２号公報を参照されたい。
　してみれば、引用文献記載の発明に上記周知の技術を適用して「凹溝部分の塗装にあたり、凹溝の幅よりも狭い幅で塗装を行い、次いで凹溝に塗装された塗料を押し広げて凹溝全域に塗料をいきわたらせる」ようにし、かつ、「塗装された塗料を押し広げ」る手段として「エアー」を採用することにより、上記〔相違点２〕に係わる本願補正発明のような構成を得る程度のことは、当業者が容易に想到することができたものとである。
　
　したがって、本願補正発明は、引用文献に記載された発明に基いて当業者が容易に発明をすることができたものである。
　また、本願補正発明を全体として検討しても、本願補正発明が引用文献に記載された発明から予測される以上の格別の効果を奏するとも認められない。
　よって、本願補正発明は、引用文献に記載された発明に基いて当業者が容易に発明をすることができたものであり、特許法第２９条第２項の規定により、特許出願の際独立して特許を受けることができないものである。
　
３．むすび
　以上のとおり、本件補正は、平成１４年改正前特許法第１７条の２第５項において準用する同法第１２６条第５項の規定に違反するので、特許法第１５９条第１項の規定において読み替えて準用する同法第５３条第１項の規定により却下すべきものである。
　よって、結論のとおり決定する。
　
　
［３］本願発明について
１．本願発明の内容
　平成１６年１０月２５日付けの手続補正は、以上のように却下されたので、本件出願の請求項１に係る発明（以下、単に「本願発明」という。）は、平成１６年９月２４日付けで提出された手続補正書により補正された明細書及び出願当初の図面の記載からみて、特許請求の範囲の請求項１に記載された事項により特定されるとおりのものであり、上記［２］の〔理　由〕の１．（ロ）の請求項１に記載されたとおりのものである。なお、本願発明は、平成１５年１２月８日付けの手続補正書により補正された特許請求の範囲の請求項１を引用した請求項１２に係る発明と同じである。
　
２．引用文献
　原査定の拒絶理由に引用された引用文献（特開平５−１３８１１６号公報）の記載事項は、上記［２］の〔理　由〕の２．（２）に記載したとおりである。
　
３．対比・判断
　本願発明は、実質的に、上記［２］で検討した本願補正発明における発明を特定するために必要と認める事項である「凹溝に塗装された塗料を
エアーで
　そうすると、本願発明の発明を特定するために必要と認める事項を全て含む本願補正発明が、上記［２］の〔理　由〕の２．に記載したとおり、引用文献に記載された発明に基いて当業者が容易に発明をすることができたものであるから本願発明も、同様の理由により、引用文献に記載された発明に基いて当業者が容易に発明をすることができたものである。
　よって、本願発明は、引用文献に記載された発明に基いて当業者が容易に発明をすることができたものであり、特許法第２９条第２項の規定により、特許を受けることができないものである。
　
４．むすび
　以上のとおり、本願発明は、引用文献に記載された発明に基いて当業者が容易に発明をすることができたものであるから、特許法第２９条第２項の規定により特許を受けることができない。
　よって、結論のとおり審決する。